(57)【要約】【課題】電力量計が設置されている需要家宅の住所が不明または不正確であっても迅速に電力供給の切り換えを行うことができる電力供給制御システムおよび電力供給制御方法を提供する。【解決手段】需要家端末２により、需要家宅Ｈへの電力供給の開始または停止を電力事業者の管理装置４へ要請するための要請情報を生成して電力量計３へ送信する。電力量計３は、要請情報および自身の識別情報を電力事業所ＥＣの管理装置４へ転送する。管理装置４は、識別情報に基づいて送信元の電力量計３を特定し、特定した電力量計３へ要請情報に応じた指示情報を送信する。電力量計３は、管理装置４から受信した指示情報に応じて、需要家宅Ｈへの電力供給を開始または停止する。【選択図】図２
2018133613.tif 000002
【特許請求の範囲】
【請求項１】
電力の需要家により操作される需要家端末と、需要家宅に設置された電力量計と、電力事業者側に設置された管理装置とにより前記需要家宅への電力の供給状態を切り換える電力供給制御システムであって、
前記需要家端末は、前記需要家宅への電力供給の開始または停止を前記管理装置へ要請するための要請情報を生成し、生成した前記要請情報を前記電力量計へ送信する要請情報発行手段を備え、
前記電力量計は、前記要請情報を受信し、前記電力量計の識別情報とともに前記要請情報を前記管理装置へ転送する転送手段を備え、
前記管理装置は、前記電力量計から前記要請情報および前記識別情報を受信し、前記識別情報に基づいて送信元の前記電力量計を特定する特定手段と、前記要請情報に応じた指示情報を生成し、特定した前記電力量計へ前記指示情報を送信する指示情報発行手段とを備えており、
前記電力量計は、さらに、前記管理装置から前記指示情報を受信し、前記指示情報に応じて前記需要家宅への電力供給を開始または停止する切り換え手段を備える、
ことを特徴とする電力供給制御システム。
【請求項２】
前記需要家端末と前記電力量計は、通信ケーブルまたは無線で接続される、
ことを特徴とする請求項１に記載の電力供給制御システム。
【請求項３】
前記電力量計は、前記需要家端末との接続時に前記需要家の認証処理を行う認証手段を備える、
ことを特徴とする請求項１または２に記載の電力供給制御システム。
【請求項４】
電力の需要家により操作される需要家端末と、需要家宅に設置された電力量計と、電力事業者側に設置された管理装置とにより前記需要家宅への電力の供給状態を切り換える電力供給制御方法であって、
前記需要家端末により、前記需要家宅への電力供給の開始または停止を前記管理装置へ要請するための要請情報を生成し、生成した前記要請情報を前記電力量計へ送信するステップと、
前記電力量計により前記要請情報を受信し、前記電力量計の識別情報とともに前記要請情報を前記管理装置へ転送するステップと、
前記管理装置により前記要請情報および前記識別情報を受信し、前記識別情報に基づいて送信元の前記電力量計を特定し、前記要請情報に応じた指示情報を生成し、特定した前記電力量計へ前記指示情報を送信するステップと、
前記電力量計により前記指示情報を受信し、前記指示情報に応じて前記需要家宅への電力供給を開始または停止するステップと、
を備えることを特徴とする電力供給制御方法。
【発明の詳細な説明】
【技術分野】
【０００１】
本発明は、需要家宅への電力供給の開始および停止を遠隔制御により切り換え可能な電力供給制御システムおよび電力供給制御方法に関するものである。
【背景技術】
【０００２】
従来、引っ越しなどを行った需要家宅へ電力供給を開始または停止する場合、電力事業者は、需要家からの要請に応じて専門知識を有する作業員を需要家宅へ訪問させ、需要家立ち会いの下、電力供給を開始または停止するための電気工事を行っている。このような電力供給の切り換え作業では、需要家と作業員とが需要家宅へ向かう日時を調整し、さらに作業員が需要家宅まで訪問するための時間や電気工事にかかる時間が必要になるので、迅速な電力供給の開始および停止を行うことができなかった。また、需要家の立ち会いも必要になるので、引っ越しなどで忙しい需要家の負担となっていた。
【０００３】
例えば、特許文献１には、遠隔制御によって電力供給を停止できるようにした電力量計が開示されている。また、需要家宅の電力使用量を所定時間ごとに計測して電力事業者に送信する通信機能を備えた電力量計（スマートメータ）が普及し始めており、現在では、このスマートメータを利用して電力供給の開始および停止を遠隔制御できるようになっている。このような電力量計を用いれば、作業員を需要家宅まで訪問させて電気工事を行う必要がなくなるので、電力供給の開始または停止までにかかる時間を短縮することができ、需要家の立ち会いも不要となる。
【先行技術文献】
【特許文献】
【０００４】
【特許文献１】特開平０５−２０９８９８号公報
【発明の概要】
【発明が解決しようとする課題】
【０００５】
特許文献１の電力量計やスマートメータでは、電力事業者は、需要家から通知された需要家宅の住所に基づいて制御する電力量計を特定し、この特定した電力量計に対して電力の供給開始または供給停止するように制御を行っているが、需要家から通知された住所に誤りがあった場合（住所が不正確な場合）には電力量計の特定に時間がかかり、電力供給の開始または停止が遅くなってしまうという問題があった。また、地名や地番などの変更により、電力事業者が管理している住所と、需要家が通知してきた住所とに齟齬が生じている場合（住所が不明な場合）にも電力量計の特定に時間がかかってしまうことがある。
【０００６】
本発明は、上記課題を解決するために、電力量計が設置されている需要家宅の住所が不明または不正確であっても迅速に電力供給の切り換えを行うことができる電力供給制御システムおよび電力供給制御方法を提供することを目的とする。
【課題を解決するための手段】
【０００７】
上記課題を解決するために、請求項１に記載の発明は、電力の需要家により操作される需要家端末と、需要家宅に設置された電力量計と、電力事業者側に設置された管理装置とにより需要家宅への電力の供給状態を切り換える電力供給制御システムであって、前記需要家端末は、前記需要家宅への電力供給の開始または停止を前記管理装置へ要請するための要請情報を生成し、生成した前記要請情報を前記電力量計へ送信する要請情報発行手段を備え、前記電力量計は、前記要請情報を受信し、前記電力量計の識別情報とともに前記要請情報を前記管理装置へ転送する転送手段を備え、前記管理装置は、前記電力量計から前記要請情報および前記識別情報を受信し、前記識別情報に基づいて送信元の前記電力量計を特定する特定手段と、前記要請情報に応じた指示情報を生成し、特定した前記電力量計へ前記指示情報を送信する指示情報発行手段とを備えており、前記電力量計は、さらに前記管理装置から前記指示情報を受信し、前記指示情報に応じて前記需要家宅への電力供給を開始または停止する切り換え手段を備える、ことを特徴とする電力供給制御システム
である。
【０００８】
また、請求項４に記載の発明は、電力の需要家により操作される需要家端末と、需要家宅に設置された電力量計と、電力事業者側に設置された管理装置とにより前記需要家宅への電力の供給状態を切り換える電力供給制御方法であって、前記需要家端末により、前記需要家宅への電力供給の開始または停止を前記管理装置へ要請するための要請情報を生成し、生成した前記要請情報を前記電力量計へ送信するステップと、前記電力量計により前記要請情報を受信し、前記電力量計の識別情報とともに前記要請情報を前記管理装置へ転送するステップと、前記管理装置により前記要請情報および前記識別情報を受信し、前記識別情報に基づいて送信元の前記電力量計を特定し、前記要請情報に応じた指示情報を生成し、特定した前記電力量計へ前記指示情報を送信するステップと、前記電力量計により前記指示情報を受信し、前記指示情報に応じて前記需要家宅への電力供給を開始または停止するステップと、を備えることを特徴とする電力供給制御方法である。
【０００９】
請求項１および請求項４に記載の発明によれば、需要家端末の要請情報発行手段により、需要家宅への電力供給の開始または停止を管理装置へ要請するための要請情報を生成し、生成した要請情報を電力量計へ送信する。電力量計では、転送手段により要請情報を受信し、電力量計の識別情報とともに要請情報を管理装置へ転送する。次いで、管理装置では、要請情報および識別情報を受信し、徳邸手段により識別情報に基づいて送信元の電力量計を特定し、指示情報発行手段により要請情報に応じた指示情報を生成し、特定した電力量計へ指示情報を送信する。そして、電力量計では、切り換え手段により指示情報を受信し、この指示情報に応じて需要家宅への電力供給を開始または停止する。
【００１０】
請求項２に記載の発明は、請求項１に記載の電力供給制御システムにおいて、前記需要家端末と前記電力量計は、通信ケーブルまたは無線で接続されている、ことを特徴とするものである。
【００１１】
請求項３に記載の発明は、請求項１または２に記載の電力供給制御システムにおいて、前記電力量計は、前記需要家端末との接続時に前記需要家の認証処理を行う認証部を備える、ことを特徴とするものである。
【発明の効果】
【００１２】
請求項１および請求項４に記載の発明によれば、電力供給の切り換えに関する要請情報を需要家端末から電力量計に送信し、電力量計から管理装置に電力量計の識別情報とともに要請情報を転送するようにしたので、需要家宅の住所が不明または不正確であっても、管理装置では電力供給の切り換えを要請している需要家宅の電力量計を迅速かつ確実に特定することが可能であり、電力供給の開始または停止にかかる時間を短縮することが可能となる。また、電力量計を操作して要請情報を生成するのではなく、需要家端末を利用するようにしたので、電気製品などの操作に不慣れな需要家であっても比較的簡単に電力供給の切り換え要請を行うことが可能である。
【００１３】
請求項２に記載の発明によれば、需要家端末と電力量計とを通信ケーブルで接続する場合には、電気製品などの操作に不慣れな需要家であっても容易かつ迅速に接続することが可能であり、第三者の需要家端末からの不正アクセスを防止することもできる。また、需要家端末と電力量計とを無線で接続する場合には、電力量計が手の届きにくい場所に設置されている場合でも容易に接続することが可能である。
【００１４】
請求項３に記載の発明によれば、電力量計と需要家端末との接続時に電力量計で需要家の認証処理を行うようにしたので、第三者の需要家端末からの不正な電力供給の切り換え要請を未然に防止することが可能となる。
【図面の簡単な説明】
【００１５】
【図１】この発明の実施の形態１に係る電力供給制御システムを示す概略構成図である。
【図２】図１の需要家端末、電力量計および管理装置の電気的および機能的な構成の一部を示すブロック図である。
【図３】実施の形態１による電力供給状態の切り換え手順を示すフローチャートである。
【図４】この発明の実施の形態２に係る電力供給制御システムを示す概略構成図である。
【図５】実施の形態２による電力供給状態の切り換え手順を示すフローチャートである。
【発明を実施するための形態】
【００１６】
以下、この発明を図示の実施の形態に基づいて説明する。
【００１７】
（実施の形態１）
図１〜図３は、この実施の形態を示し、図１は、この実施の形態に係る電力供給制御システム（以下、制御システムという）１を示す概略構成図である。制御システム１は、複数の需要家Ｕが所持する複数台の需要家端末２と、複数の需要家宅Ｈに設置されている複数台の電力量計３と、電力事業所ＥＣに設置されている管理装置４とを備えている。
【００１８】
需要家端末２と電力量計３とは通信ケーブル５を介して通信可能に接続され、電力量計３と管理装置４とは、通信網ＮＷを介して相互に通信可能に接続されている。需要家宅Ｈには、電力会社の配電線６から電気が供給され、電力量計３を経て需要家宅Ｈの電気機器に供給される。
【００１９】
需要家端末２は、需要家宅Ｈへの電力供給の開始または停止を電力事業者に要請するための要請情報を生成し、需要家宅Ｈに設置された電力量計３へ送信するための端末である。需要家端末２は、例えばスマートフォンであり、専用のアプリがインストールされることにより需要家端末２として機能する。
【００２０】
需要家端末２は、詳しくは図示しないが、タッチパネルなどの入力部と、ディスプレイなどの表示部と、制御プログラムなどを記憶する記憶部と、公衆通信回線を介して通信を行うモデムと、無線通信部および有線通信部と、制御プログラムにしたがって各部を統括的に制御する制御部などを備えている。有線通信部は、通信ケーブル５を介した電力量計３との通信に利用される。なお、需要家端末２は、スマートフォンに限定されず、パーソナルコンピュータやタブレット型端末でもよい。
【００２１】
電力量計３は、需要家宅Ｈの電力使用量を計測してその計測結果を電力事業者に送信する機能と、電力事業者からの指示を受信して需要家宅への電力の供給状態を切り換える機能とを備えた、いわゆるスマートメータであり、需要家宅Ｈに電力を供給する配電線６に接続されている。
【００２２】
電力量計３は、通信網ＮＷを通して管理装置４と通信を行う第１の通信部（図示せず）と、通信ケーブル５によって接続された需要家端末２と通信を行う第２の通信部（図示せず）とを備えている。電力量計３は、需要家端末２から要請情報を受信した場合に、計測結果を送信する機能を利用して要請情報と、自身を識別するための識別情報とを電力事業者へ転送する。識別情報は、例えば、計器番号などであり、図示しないメモリに記憶されている。
【００２３】
管理装置４は、電力量計３から要請情報および識別情報を受信し、識別情報により送信元の電力量計３を特定し、特定した電力量計３へ要請情報で要請された指示を送信するための装置である。
【００２４】
管理装置４は、通信制御装置４１、管理端末４２、管理サーバ４３およびデータベース（ＤＢ）サーバ４４を備えている。通信制御装置４１は、管理サーバ４３による通信網ＮＷを経由したデータ通信を制御するための装置である。つまり、通信制御装置４１は、需要家宅Ｈからのデータを受信すると、電力事業所ＥＣ内のローカルエリアネットワーク（以下、ＬＡＮという）４Ａを経由して管理サーバ４３に送り、また、ＬＡＮ４Ａを経由して受信した管理サーバ４３からのデータを電力量計３などに送信する。
【００２５】
管理端末４２は、管理担当者が管理サーバ４３を操作するためのコンソールであり、キーボードやマウスなどの入力部と、液晶ディスプレイなどの表示部と、制御プログラムなどを記憶する記憶部と、ＬＡＮ４Ａを介して通信を行う通信部と、制御プログラムにしたがって各部を統括的に制御する制御部などを備えている。
【００２６】
管理サーバ４３は、需要家宅Ｈに対する電力供給の切り換え処理、需要家宅Ｈの電力使用量の管理、需要家Ｕに対する電力使用料の請求処理などを行う専用のコンピュータである。管理サーバ４３は、管理端末４２と同様に、入力部、表示部、記憶部、通信部および制御部などを備えている。
【００２７】
ＤＢサーバ４４は、電力量計３に関する情報が格納された計器ＤＢ４４Ａ（図２参照）などの各種データベースを管理する専用のコンピュータである。計器ＤＢ４４Ａには、電力量計３の識別情報である計器番号と、電力量計３が電力供給状態（開通状態）または電力停止状態（遮断状態）のいずれであるかを示すステータス情報などが格納されている。計器ＤＢ４４Ａは、ＤＢサーバ４４に記憶されている需要家Ｕに関する需要家ＤＢ（図示せず）と連携して利用される。
【００２８】
通信網ＮＷは、電力事業所ＥＣと電力量計３とを相互に通信可能に接続するための通信回線であり、インターネットや移動体通信回線などの公衆通信網、あるいは専用線やＶＰＮ（Virtual Private Network）などが利用される。
【００２９】
図２は、需要家端末２、電力量計３および管理装置４の電気的および機能的な構成の一部を示すブロック図である。需要家端末２は、要請情報を生成して電力量計３に送信する要請情報発行部（要請情報発行手段）２１を備える。要請情報発行部２１は、需要家端末２で電力状態の切り換えを要請するためのアプリが起動されると動作を開始し、需要家Ｕに関する情報と、電力事業者に対する要請内容との入力を受け付ける。需要家Ｕに関する情報とは、例えば、需要家の氏名、住所、契約メニューなどの他、電話番号やメールアドレスなどの連絡先に関する情報などが含まれる。また、要請内容とは、需要家宅Ｈに対する電力供給の開始または停止である。要請情報発行部２１は、入力された内容に基づいて要請情報を生成し、電力量計３に送信する。
【００３０】
電力量計３は、要請情報発行部２１から送信された要請情報を受け付ける（受信する）要請情報受付部３１と、要請情報受付部３１で受け付けた要請情報と、電力量計３の識別情報とを管理装置４に転送する転送部３２とを備える。要請情報受付部３１及び転送部３２は、本発明の転送手段を構成している。
【００３１】
また、電力量計３は、配電線６から供給された電力量を計測する計量部３３と、計量部３３に接続されている配電線６を接続または切断して電力供給の開始または停止を行う遮断器３４とを備える。さらに、管理装置４から受信した指示情報に応じて遮断器３４を接続または切断する送電切換部（切り換え手段）３５も備えている。
【００３２】
管理装置４は、電力量計特定部（徳邸手段）４５および指示情報発行部（指示情報発行手段）４６を備える。電力量計特定部４５は、転送部３２から転送された要請情報および識別情報を受け付けるとともに、識別情報に基づいて計器ＤＢ４４Ａを検索し、対応する電力量計３を特定する。指示情報発行部４６は、転送部３２から転送された要請情報に基づいて電力供給の開始または停止を指示するための指示情報を生成し、電力量計特定部４５で特定された電力量計３に送信する。
【００３３】
次に、図３に示すフローチャートを参照して、上記実施の形態の作用について説明する。需要家Ｕは、需要家端末２を操作して需要家Ｕに関する情報と、要請内容とを入力する。要請情報発行部２１は、入力された内容に基づいて要請情報を生成し、電力量計３に送信する（ステップＳ１）。
【００３４】
電力量計３は、要請情報受付部３１により要請情報発行部２１から送信された要請情報を受信するとメモリから識別情報を読み出し、転送部３２によって要請情報および識別情報を管理装置４に転送する（ステップＳ２）。
【００３５】
管理装置４は、電力量計特定部４５により転送部３２から転送された要請情報および識別情報を受信すると、電力量計特定部４５により識別情報に対応する電力量計３を特定する（ステップＳ３）。指示情報発行部４６は、受信した要請情報に基づいて電力供給の開始または停止を指示するための指示情報を生成し、電力量計特定部４５で特定された電力量計３に送信する（ステップＳ４）。
【００３６】
電力量計３の送電切換部３５は、指示情報発行部４６から受信した指示情報に応じて遮断器３４を制御し、需要家宅Ｈに対する電力供給を開始または停止する（ステップＳ５）。電力量計３は、電力供給状態の切り換え後に完了通知を需要家端末２および管理装置４に送信する（ステップＳ６）。需要家端末２は、完了通知を表示部に表示することにより、需要家Ｕに電力供給が開始または停止された旨を報知する（ステップＳ７）。また、管理装置４は、電力供給の開始または停止に応じて、計器ＤＢ４４Ａのステータス情報を更新する（ステップＳ８）。
【００３７】
本実施の形態によれば、電力供給の切り換えに関する要請情報を需要家端末２から電力量計３に送信し、電力量計３から管理装置４に電力量計３の識別情報とともに転送するようにしたので、需要家宅Ｈの住所が不明または不正確であっても、管理装置４では電力供給の切り換えを要請している需要家宅Ｈの電力量計３を迅速かつ確実に特定することが可能であり、電力供給の開始または停止にかかる時間を短縮することが可能となる。また、電力量計３を操作して要請情報を生成するのではなく、需要家Ｕが操作し慣れた需要家端末２を利用するようにしたので、電気製品などの操作に不慣れな需要家Ｕであっても比較的簡単に電力供給の切り換え要請を行うことが可能である。
【００３８】
また、需要家端末２と電力量計３とを通信ケーブル５で接続するので、容易かつ迅速に接続することが可能であり、電気製品などの操作に不慣れな需要家Ｕであっても比較的簡単に電力供給の切り換え要請を行うことが可能である。さらに、スマートメータである電力量計３は、需要家宅Ｈ内に設置されることが多いので、通信ケーブル５で接続するようにすれば、不正な電力量計３へのアクセスを防ぐことも可能となる。
【００３９】
（実施の形態２）
図４、図５は、この実施の形態を示し、図４は、この実施の形態に係る需要家端末２、電力量計３および管理装置４の電気的および機能的な構成の一部を示すブロック図である。この実施の形態では、需要家端末２と電力量計３とがブルートゥース（商標登録）やＷＩＦＩなどの無線で接続される点、需要家端末２から電力量計３にアクセスする際に需要家Ｕの認証処理を行なう点で、実施の形態１と構成が異なり、実施の形態１と同等の構成については、同一符号を付することでその説明を省略する。
【００４０】
需要家端末２には、事前登録部２２が設けられている。事前登録部２２は、需要家Ｕが需要家宅Ｈに対し電力供給の開始または停止を要請する前に、電力事業所ＥＣに対して需要家Ｕを事前に登録するための機能部である。
【００４１】
管理装置４には、パスワード発行部４７が設けられている。パスワード発行部４７は、事前登録部２２によって需要家Ｕが登録された場合、需要家Ｕを識別するためのパスワードを発行し、需要家端末２の要請情報発行部２１および電力量計３の認証部３６に送信する。需要家端末２の要請情報発行部２１は、電力量計３に要請情報を送信する際にパスワードを一緒に送信する。
【００４２】
電力量計３には、認証部（認証手段）３６が設けられている。認証部３６は、要請情報発行部２１から受信したパスワードと、管理装置４のパスワード発行部４７から受信したパスワードとを比較する。認証部３６は、パスワードが一致した場合には、電力供給の開始または停止に関する処理を継続させ、パスワードが一致しなかった場合には、電力量計３に対する需要家端末２のアクセスを禁止する。
【００４３】
次に、図５に示すフローチャートを参照して、上記実施の形態の作用について説明する。需要家Ｕは、需要家端末２を操作して管理装置４に事前登録を行なう（ステップＳ１０）。管理装置４は、事前登録に応じてパスワードを発行し、需要家端末２および電力量計３に送信する（ステップＳ１１）。需要家端末２は、電力量計３に要請情報を送信する前にパスワードを送信する（ステップＳ１２）。電力量計３は、需要家端末２から受信したパスワードと管理装置４から受信したパスワードとを比較して認証処理を行なう（ステップＳ１３）。パスワードが一致した場合には、電力供給の開始または停止に関する処理を継続させ、パスワードが一致しなかった場合には、電力量計３に対する需要家端末２のアクセスを禁止する。
【００４４】
本実施の形態によれば、需要家端末２と電力量計３とを無線で接側するので、電力量計３が手の届きにくい場所に設置されている場合でも容易に接続することが可能である。また、需要家端末２と電力量計３との接続時に電力量計３で需要家Ｕの認証処理を行うようにしたので、需要家Ｕに成り済まして不正な電力供給の切り換え要請が行なわれるのを未然に防止することが可能となる。
【００４５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、需要家端末２と電力量計３とを直接接続したが、通信網ＮＷを介して接続するようにしてもよい。また、電力供給の切り換えを終えた後に完了通知を送信するようにしたが、何らかの誤操作によって電力供給状態が切り換えられるのを防止するために、管理装置４が要請情報を受信した場合に確認メールなどを需要家端末２に送信し、この確認メールに対する応答があった場合に電力供給状態を切り換えるようにしてもよい。さらに、実施の形態２では、管理装置４から需要家端末２および電力量計３にパスワードを配信するようにしたが、電力量計３にパスワードを予め記憶させておき、需要家端末２のみにパスワードを配信するようにしてもよい。
【符号の説明】
【００４６】
１          電力供給制御システム
２          需要家端末
２１        要請情報発行部（要請情報発行手段）
２２        事前登録部
３          電力量計
３１        要請情報受付部（転送手段）
３２        転送部（転送手段）
３５        送電切換部（切り換え手段）
３６        認証部（認証手段）
４          管理装置
４５        電力量計特定部（特定手段）
４６        指示情報発行部（指示情報発行手段）
４７        パスワード発行部
４４Ａ      計器データベース
【図１】
2018133613.tif 000003
【図２】
2018133613.tif 000004
【図３】
2018133613.tif 000005
【図４】
2018133613.tif 000006
【図５】
2018133613.tif 000007